(57)【特許請求の範囲】
【請求項１】
排気されたガラス球であって、内部に延在する複数の導電性支持部材を備えたガラス球と、
前記ガラス球内で前記導電性支持部材に固着された、延在する一対の上側及び下側電極を有する細長いアーク管と、
前記細長いアーク管内で水銀量及びナトリウム量を含むガス状充填物と、
を有する高圧ナトリウムランプにおいて、
前記アーク管は、
半透明材料である多結晶性アルミナセラミックから形成された光透過性セラミックから形成され、
前記ランプを作動させた際に約１２５０℃の壁面温度、１８．９乃至２２．２ｗ／ｃｍ２の壁面装荷量、及び、１５０乃至４００ワットの電力消費量を有し、
０．１乃至５気圧（１０１．３乃至５０６６．２ミリバール）の作用範囲と６０トル（８０ミリバール）又はそれ以上の作用圧力における放出種のナトリウムとを有する水銀である金属緩衝ガスの添加を含む蒸発可能な金属の充填を含有し、
前記アーク管の上端は、アルミナセラミックプラグによって閉鎖され、前記アルミナセラミックプラグを通してニオブ引込み線が突出し、前記アルミナセラミックプラグは、前記アーク管内で前記上側電極を支持し、
前記アーク管の下端は、セラミックプラグによって閉鎖され、前記セラミックプラグを通してニオブ引込み管が延在し、前記ニオブ引込み管には前記アーク管内で前記下側電極が固定され、
前記アーク管は、周囲に巻き付けられたタングステン線を有し、前記タングステン線は、熱応動開閉器を介して前記上側電極に接続され、
管壁を横断する電界が最小になる程度に温度が上昇した場合に、前記熱応動開閉器は、開くように構成されており、
前記水銀の圧力は、４７４乃至８６８ミリバールであり、前記ナトリウムの圧力は、１２４乃至１５３ミリバール（９３乃至１１４トル）である、
ことを特徴とする、高圧ナトリウムランプ。
【請求項２】
水銀量が約１０．８ｍｇである、請求項１記載の高圧ナトリウムランプ。
【請求項３】
前記ランプが１５０乃至４００ワットの電力消費量を有する、請求項１記載の高圧ナトリウムランプ。
【請求項４】
前記ランプが４００ワットの電力消費量を有し、アーク管が６．６２ｍｍの内径を有する、請求項３記載の高圧ナトリウムランプ。
【請求項５】
前記ランプが２５０ワットの電力消費量を有し、アーク管が５．２１ｍｍの内径を有する、請求項３記載の高圧ナトリウムランプ。
【請求項６】
前記ランプが２００ワットの電力消費量を有し、アーク管が４．７８ｍｍの内径を有する、請求項３記載の高圧ナトリウムランプ。
【請求項７】
前記ランプが１５０ワットの電力消費量を有し、アーク管が５．２１ｍｍの内径を有する、請求項３記載の高圧ナトリウムランプ。
【発明の詳細な説明】
【０００１】
技術分野
本発明は、高圧ナトリウムランプ、より詳述すれば、減少されたアーク管寸法、低い価格および高い効率を有する高圧ナトリウムランプに関する。付加的に、このランプは、高い温度で作動し、こうして水銀量が減少された場合には、このランプを毒性固有浸出法（Toxicity Characteristic Leaching Procedure）（ＴＣＬＰ）に適合させることができる。
【０００２】
背景技術
高圧ナトリウム（ＨＰＳ）ランプは、高い効率、長い寿命および認容可能な演色性のために、世界中で広範囲に使用されている。このランプの認容可能な商業的な発展は、一般に半透明の多結晶性アルミナ（ＰＣＡ）のアーク管の創成に貢献しており、この場合この半透明の多結晶性アルミナは、経済的に製造されることができ、認容可能な光学的性質を提供しかつなおナトリウム蒸気の攻撃に耐える第１の材料である。
【０００３】
最近、適当な条件下でＨＰＳランプの作動を高い温度で可能にするＰＣＡの改善された変形が開発された。この材料は、米国特許第４２８５７３２号明細書、米国特許第５６２５２５６号明細書および米国特許第５６８２０８２号明細書に開示されている。
【０００４】
増加された効率および減少された費用を提供するために、前記材料を使用したＨＰＳランプを開発することができるとすれば、工業における１つの進歩になるであろう。更に、埋め立て地への通常の廃棄を可能にする、行政によって設けられた毒性固有浸出法（ＴＣＬＰ）に適合することによって公害を減少させるであろうランプを形成させることができるとすれば、工業における明確な進歩になるであろう。
【０００５】
発明の開示
それ故に、本発明の対象は、公知技術水準の欠点を回避することである。
【０００６】
本発明の別の目的は、ＨＰＳランプを改善することである。
【０００７】
また、本発明の別の目的は、例えばＨＰＳランプを提供する費用を減少させることである。
【０００８】
更に、本発明の別の目的は、使用される水銀量の減少と共に、ＨＰＳランプの効率を上昇させることである。
【０００９】
この目的は、本発明の１つの視点によれば、複数の導電性支持部材を備えた、延在する排気されたガラス球を有する高圧ナトリウムランプによって達成される。延在する一対の電極を有する細長いアーク管は、ガラス球内で導電性支持部材に固着されている。ガス充填物は、細長いアーク管内に水銀量およびナトリウム量を含んでいる。アーク管は、ランプを作動させた際に約１２５０℃の壁面温度、約１８．９〜約２２．２ｗ／ｃｍ２の壁面装荷量および１５０〜４００ワットの電力消費量を有する半透明材料から選択されている。
【００１０】
更に、水銀量は、１４．４ｍｇ／アーク管から１０．８ｍｇ／アーク管に減少され、この場合には、１５０〜４００ワットの電力消費量を有するランプをＴＣＬＰに適合させることができる。
【００１１】
発明を実施するための最良の形態
本発明をよりいっそう理解するために、他の対象ならびにさらにその目的、利点および可能性と共に、図に関連する以下の開示および係属されている請求項の記載が参照される。
【００１２】
ところで、重要な特性を示す図に関連して、図の最下部に示されているステム端部に結合された標準のねじ付き大型口金４を備えた外側ガラス球６を有する高圧ナトリウムランプ１００が示されている。凹型ステム加圧成形部材８は、ステム８に延在しかつねじ込受金１７およびアイレット１８に接続された導体１０および１２の外側端部を有する一対の比較的重質の引込み導体１０および１２を有する。
【００１３】
ランプ１００は、ガラス球６内の中心に位置した内側ガラス球またはアーク管１４を有する。アーク管１４は、半透明である多結晶性アルミナセラミックから形成された光透過性セラミックの全長から形成されている。アーク管１４は、金属緩衝ガス、例えば０．１〜５気圧（１０１．３〜５０６６．２ミリバール）の作動範囲および６０トル（８０ミリバール）またはそれ以上の典型的な作動圧力で放出種のナトリウムを有する水銀の付加量を含むことができる蒸発可能な金属の充填量を含有している。本発明の好ましい実施態様において、水銀の圧力は、４７４ミリバール〜８６８ミリバールであり、ナトリウムの圧力は、約１２４ミリバール〜約１５３ミリバール（９３〜１１４トル）である。アーク管１４の上端は、アルミナセラミックプラグ２０によって閉鎖されており、このアルミナセラミックプラグを通してニオブ引込み線２６は突出し、また、このアルミナセラミックプラグは、アーク管１４内で上側電極（図示されていない）を支持している。アーク管１４の下端は、セラミックプラグ２１からなるクロージャーを有し、このセラミックプラグを通して、薄壁のニオブ管２６が延在している。ニオブ管２６は、アーク管１４のための引込み線として役立つ。アーク管１４の下側電極（図示されていない）の軸部は、管２６に突入しており、位置２５で管２６を下側電極に隣接して折り曲げることによって固定されている。アーク管１４は、周囲に巻き付けられたタングステン線５０を有する。線５０は、熱応動開閉器５２によって電極の一方に接続されており、最も低い放電開始電圧が達成される電極間に位置している。管壁を横断する電界が最小になる程度にランプが温かい場合には、熱応動開閉器は開く。
【００１４】
次表は、標準アーク管の寸法と新規のアーク管の有効な寸法との差を表わし、この場合第Ｉ表および第ＩＩＩ表は、従来のものを表わし、第ＩＩ表および第ＩＶ表は、新規のものを表わす。
【００１５】
【表１】
0004921671.tif 000002
【００１６】
【表２】
0004921671.tif 000003
【００１７】
【表３】
0004921671.tif 000004
【００１８】
【表４】
0004921671.tif 000005
【００１９】
表中で、ＮａＰおよびＨｇＰは、それぞれナトリウム圧力および水銀圧力を表わし；ＮａＱおよびＨｇＱは、それぞれナトリウム量および水銀量を表わす。
【００２０】
標準のアーク管の寸法と新規のアーク管の寸法との比較から明らかなように、新規の管は、セラミックアーク管体中での減少された材料含量から生じる良好な経済的値を提供し、さらに、高いエネルギー効率からエネルギーの節約を提供する。また、新規の材料の利用は、高い壁面温度での作動を可能にし、改善されたランプ作動効率を提供する。
【００２１】
現在、本発明の好ましい実施態様が考慮され、提示されて記載されているが、当業者であれば、種々の変形および変更は係属された請求の範囲内の記載によって定義された本発明の範囲を逸脱することなく可能であることは、明らかなことである。
【図面の簡単な説明】
【図１】  典型的なＨＰＳランプを示す縦断面図。
【符号の説明】
４  ねじ付き大型口金、  ６  外側ガラス球、  ８  凹型ステム加圧成形部材、  １０  引込み導体、  １２  引込み導体、  １４  アーク管、  １７  ねじ込受金、  １８  アイレット、  ２１  セラミックプラグ、  ２５  位置、  ２６  薄壁のニオブ管、  ５０  タングステン線、  ５２  熱応動開閉器、  １００  高圧ナトリウムランプ
【図１】
0004921671.tif 000006